(57)【特許請求の範囲】
【請求項１】
開口を有する合成樹脂製の長箱状であり、その外底面にランプ収納凹部を形成し前記開口側を取付面とした本体兼カバーと、この本体兼カバーの前記開口を塞ぐ蓋体と、前記本体兼カバーの前記取付面側に取付けられた電源線接続用端子台と、前記蓋体に取付られて前記本体兼カバーの前記取付面側に位置する安定器およびスイッチを有し前記本体兼カバーの前記取付面と反対側にランプソケットを有する点灯回路部品とを備え、
前記ランプ収納凹部の凹部底面が長箱状の前記取付面に位置し、前記凹部底面の両端にソケット挿通用貫通部を形成し、中間に取付穴を形成し、
前記蓋体が前記本体兼カバーのランプ収納凹部の凹部底面の取付面側に重なっており、前記蓋体に端子台露出部および前記取付穴に整合する取付孔を形成した直付型照明器具。
【請求項２】
前記蓋体は前記露出部で分離した一対の蓋体構成部品からなる請求項１記載の直付型照明器具。
【発明の詳細な説明】
【０００１】
【産業上の利用分野】
この発明は、流し元灯等に適用される直付型照明器具に関するものである。
【０００２】
【従来の技術】
従来例を図１２に示す。すなわち、この直付型照明器具は、取付部７０を有する木ねじ７８により本体７１と、本体７１にパッキン８０，ワッシャ８１，つまみねじ８２を介して取付けられたカバー７２と、本体７１に取付けられた点灯部品７３とを有する。点灯部品７３において、７４はインバータブロック、７５はランプソケット、７６はスイッチ、７７はフル端子台、７９は電源線挿通穴である。８３は直管蛍光ランプである。
【０００３】
【発明が解決しようとする課題】
しかし、第１の従来例は、施工時に本体７１を棚下等の被取付部分に取付け、つぎにカバー７２を本体７１に取付けるため、器具施工が複雑であった。
これに対して、図１３のように本体兼カバー８５にランプソケット８６，グロースタータソケット８７，スイッチ８８，端子台８９，エンドカバー９０等の点灯回路部品を取付けたものがあったが、端子台８９は下面側の一方のエンドカバー９０の内側に取付けられていたため、施工の際に端子台８９に電源線を結線するためエンドカバー等の一部をを外す必要があった。９０はエンドカバー、９１はその取付けねじ、９２は本体取付ねじである。
【０００４】
また、図１３の従来例において、図１４に示すように端子台８９等を本体兼カバー８５の略中央下面に取付けたものがあったが、器具取付後に取付部や端子台８９等を覆うように反射板９３をスピンラッチ９４により本体兼カバー８５に取付けるという作業が必要であった。
したがって、この発明の目的は、器具施工をより一層簡略化することができる直付型照明器具を提供することである。
【０００５】
【課題を解決するための手段】
【０００６】
請求項１の直付型照明器具は、開口を有する合成樹脂製の長箱状であり、その外底面にランプ収納凹部を形成し前記開口側を取付面とした本体兼カバーと、この本体兼カバーの前記開口を塞ぐ蓋体と、前記本体兼カバーの前記取付面側に取付けられた電源線接続用端子台と、前記蓋体に取付られて前記本体兼カバーの前記取付面側に位置する安定器およびスイッチを有し前記本体兼カバーの前記取付面と反対側にランプソケットを有する点灯回路部品とを備え、
前記ランプ収納凹部の凹部底面が長箱状の前記取付面に位置し、前記凹部底面の両端にソケット挿通用貫通部を形成し、中間に取付穴を形成し、
前記蓋体が前記本体兼カバーのランプ収納凹部の凹部底面の取付面側に重なっており、前記蓋体に端子台露出部および前記取付穴に整合する取付孔を形成したものである。
請求項２の直付型照明器具は、請求項１において、前記蓋体は前記露出部で分離した一対の蓋体構成部品からなるものである。
【０００７】
【作用】
請求項１の直付型照明器具によれば、端子台が本体兼カバーの取付面側に設けられているため器具施工前に電源線を端子台に接続することができ、従来のように電源線の接続・解除の際に本体兼カバーを一部分解する必要がない。また端子台、安定器およびスイッチが本体兼カバーの取付面側に取付けられているため、従来のようにこれらを反射板で被覆する必要がない。したがって本体兼カバーの取付部を棚下等の被取付面に取付けることにより器具全体を一度に取付け施工できるので施工が簡略化され、取付作業が大幅に改善される。さらに本体兼カバーにより器具が軽量化する。
【０００８】
また、前記本体兼カバーの前記取付面側を被覆する蓋体を有し、前記端子台を露出する露出部を前記蓋体に形成したため、本体兼カバーが蓋体により補強される。
請求項２の直付型照明器具は、請求項１において、前記蓋体が前記露出部で分離した一対の蓋体構成部品からなるため、請求項１の作用のほか器具が軽量化できる。
【０００９】
【実施例】
この発明の第１の実施例を図１ないし図３により説明する。すなわち、この直付型照明器具は、本体兼カバー１と、点灯回路部品２とを有する。
本体兼カバー１は取付部３を有しているが、合成樹脂製であり、外形は長箱状をなし、その外底面にランプ収納凹部１１を形成し、その凹部底面を本体兼カバー１の開口１２に位置している。また取付部３は前面側から取付けることができる構成であり、長穴を実施例とした取付穴であり、その周縁を開口１２側に突出して突出部３ａとしている。
【００１０】
点灯回路部品２は、本体兼カバー１の取付面４側に取付けられた電源線接続用端子台５，安定器６およびスイッチ７を有し、取付面４と反対側の前面側のランプ収納凹部１１にランプソケット８を有する。端子台５は電源線を差込み結線する速結端子を有し、本体兼カバー１の略中央位置の内底面に取付けられている。安定器６は電子安定器を実施例とし、端子台５に隣接してランプ収納凹部１１に平行に本体兼カバー１の内底面にねじ１３により取付けられ、さらにその隣にスイッチ７がねじ１４により取付けられている。ランプソケット８はランプ収納凹部１１の両端位置に本体兼カバー１の貫通部２０を貫通して取付けられている。９はこれらの配線、１０はランプソケット８間に装着された直管蛍光ランプである。
【００１１】
本体兼カバー１を棚下等の被取付面１５に取付けるときは、まず本体兼カバー１に点灯回路部品２を取付け、直管蛍光ランプ１０を取付ける前に、取付具である木ねじ１６を取付部３に通して本体兼カバー１を取付け、直管蛍光ランプ１０をランプソケット８に装着する。
この実施例によれば、端子台５が本体兼カバー１の取付面４側に設けられているため器具施工前に電源線を端子台５に接続することができ、従来のように電源線の接続・解除の際に本体兼カバーを一部分解する必要がない。また端子台５、安定器６およびスイッチ７が本体兼カバー１の取付面４側に取付けられているため、従来のようにこれらを反射板で被覆する必要がない。したがって本体兼カバー１の取付部３を棚下等の被取付面１５に取付けることにより器具全体を一度に取付け施工できるので施工が簡略化され、取付作業が大幅に改善される。さらに本体兼カバー１により器具が軽量化する。
【００１２】
また器具取付時に手が触れるおそれのある部品は端子台５のみであるため、電源線結線後器具取付けまでの作業がより安全に行なえる。
この発明の第２の実施例を図４ないし図７に示す。すなわち、この直付型照明器具は、第１の実施例において、本体兼カバー１の取付面４側を被覆する蓋体１７を有し、端子台５を露出する露出部１８を蓋体１７に形成したものである。実施例の蓋体１７は本体兼カバー１の取付面４となる開口部１２の全体を被覆する大きさの金属板により形成しているが、端子台５を露出する露出部１８は切欠により形成している。また取付部３に対応して蓋体１７に取付孔１９を形成し、その周縁部を被取付面１５側に突出して突出部１９ａとしている。さらに点灯回路部品２は端子台５を除き蓋体１７に取付具であるねじ２１により取付けている。また蓋体１７の取付けは取付具であるねじ２２により本体兼カバー１に取付けている。また被取付面１５には取付部３および取付孔１９に木ねじ１６を通して被取付面１５に取付ける。その他は第１の実施例と同様である。
【００１３】
この実施例によれば、端子台５を露出する露出部１８を有して本体兼カバー１の取付面４側を被覆した蓋体１７を有するため、本体兼カバー１が蓋体１７により補強される。その他の作用効果は第１の実施例と同様である。
この発明の第３の実施例を図８ないし図１１に示す。すなわち、この直付型照明器具は、第２の実施例において、蓋体１７は露出部１８で分離した一対の蓋体構成部品１７ａ，１７ｂからなるものである。ランプソケット８等の点灯回路部品２は各蓋体１７に分離して設けられている。さらに各蓋体１７ａ，１７ｂはランプ収納凹部１１に対応する部分を除去して軽量化している。その他は第２の実施例と同様である。
【００１４】
この実施例によれば、蓋体１７が露出部１８で分離した一対の蓋体構成部品１７ａ，１７ｂからなるため、第２の実施例と比較して器具が軽量化できる。その他、第２の実施例と同様な作用効果がある。
【００１５】
【発明の効果】
請求項１の直付型照明器具によれば、端子台が本体兼カバーの取付面側に設けられているため器具施工前に電源線を端子台に接続することができ、従来のように電源線の接続・解除の際に本体兼カバーを一部分解する必要がない。また端子台、安定器およびスイッチが本体兼カバーの取付面側に取付けられているため、従来のようにこれらを反射板で被覆する必要がない。したがって本体兼カバーの取付部を棚下等の被取付面に取付けることにより器具全体を一度に取付け施工できるので施工が簡略化され、取付作業が大幅に改善される。さらに本体兼カバーにより器具が軽量化するという効果がある。
【００１６】
また、前記本体兼カバーの前記取付面側を被覆する蓋体を有し、前記端子台を露出する露出部を前記蓋体に形成したため、本体兼カバーが蓋体により補強される。
請求項２の直付型照明器具は、請求項１において、前記蓋体が前記露出部で分離した一対の蓋体構成部品からなるため、請求項１の効果のほか器具が軽量化できる。
【図面の簡単な説明】
【図１】この発明の第１の実施例の断面図である。
【図２】その平面図である。
【図３】天井取付状態の側面図である。
【図４】第２の実施例の分解斜視図である。
【図５】その断面図である。
【図６】その平面図である。
【図７】取付状態の半断面側面図である。
【図８】第３の実施例の分解斜視図である。
【図９】断面図である。
【図１０】その平面図である。
【図１１】取付状態の半断面側面図である。
【図１２】従来例の分解斜視図である。
【図１３】他の従来例の部分分解斜視図である。
【図１４】さらに他の従来例の分解斜視図である。
【符号の説明】
１    本体兼カバー
２    点灯回路部品
３    取付部
４    取付面
５    電源線接続用端子台
６    安定器
７    スイッチ
８    ランプソケット
【図１】
0003769763.tif 000002
【図２】
0003769763.tif 000003
【図３】
0003769763.tif 000004
【図４】
0003769763.tif 000005
【図５】
0003769763.tif 000006
【図６】
0003769763.tif 000007
【図７】
0003769763.tif 000008
【図８】
0003769763.tif 000009
【図９】
0003769763.tif 000010
【図１０】
0003769763.tif 000011
【図１１】
0003769763.tif 000012
【図１２】
0003769763.tif 000013
【図１３】
0003769763.tif 000014
【図１４】
0003769763.tif 000015